(57)【要約】【課題】車両前方からの走行風を利用して走行安定性のさらなる向上を図ることができる鞍乗型車両を提供する。【解決手段】鞍乗型車両１は、ヘッドパイプ１１と、ヘッドパイプ１１の後方に配置される車両構成部品４０と、車両構成部品４０の車幅方向外側に配置され、車両構成部品４０との間に隙間を空ける整流板８１とを備える。前記隙間は、整流板８１の全周の端部と車両構成部品４０との間において外部に開放されている。【選択図】図１
2020066407.tif 000002
【特許請求の範囲】
【請求項１】
ヘッドパイプ（１１）と、
前記ヘッドパイプ（１１）の後方に配置される車両構成部品（４０）と、を備える鞍乗型車両（１）において、
前記車両構成部品（４０）の車幅方向外側に配置され、前記車両構成部品（４０）との間に隙間（Ｓ）を空ける整流板（８１，８２）を備え、
前記隙間（Ｓ）は、前記整流板（８１，８２）の全周の端部と前記車両構成部品（４０）との間において外部に開放されていることを特徴とする鞍乗型車両。
【請求項２】
前記車両構成部品（４０）は、燃料タンクユニット（４０）であることを特徴とする請求項１に記載の鞍乗型車両。
【請求項３】
前記整流板（８１，８２）は、板状部材であることを特徴とする請求項１または２に記載の鞍乗型車両。
【請求項４】
前記車両構成部品（４０）は、平坦状の側面部（７５）を有し、
前記整流板（８１，８２）は、前記側面部（７５）に沿う板状部材である、
ことを特徴とする請求項３に記載の鞍乗型車両。
【請求項５】
前記整流板（８１，８２）よりも下方に配置されるシュラウド（５１）を備え、
前記側面部（７５）は、前記シュラウド（５１）よりも前方から前記シュラウド（５１）よりも後方まで達する大きさの平坦状の表面を有し、
前記整流板（８１，８２）は、前記側面部（７５）と略相似形に形成され、前記側面部（７５）の略全域を覆う、
ことを特徴とする請求項４に記載の鞍乗型車両。
【請求項６】
前記車両構成部品（４０）と前記整流板（８１，８２）とは、前記整流板（８１，８２）の全周の端部よりも内側に配置される３つの接続部（９１，９２，９３）により固定されることを特徴とする請求項１から５のうちいずれか１項に記載の鞍乗型車両。
【請求項７】
前記３つの接続部（９１，９２，９３）は、第１および第２接続部（９１，９２）と、前記第１および第２接続部（９１，９２）よりも後方に配置される第３接続部（９３）とを含み、
前記第１および第２接続部（９１，９２）の各々は、締結型の接続部であり、
前記第３接続部（９３）は、非締結型の接続部である、
ことを特徴とする請求項６に記載の鞍乗型車両。
【請求項８】
前記整流板（８１，８２）の前端部（８１ａ）は、前記車両構成部品（４０）の前端部（７２ａ）に対して、車両前後方向で略同一位置に配置されることを特徴とする請求項１から７のうちいずれか１項に記載の鞍乗型車両。
【請求項９】
前記整流板（８１，８２）は、略三角形状であり、前記整流板（８１，８２）の下端部（８１ｃ）が後方に向かうに従い上方にあがることを特徴とする請求項１から８のうちいずれか１項に記載の鞍乗型車両。
【請求項１０】
前記隙間（Ｓ）は、前記整流板（８１，８２）の上端部（８１ｂ）と前記車両構成部品（４０）との間の位置する第１隙間部（Ｓａ）と、前記整流板（８１，８２）の下端部（８１ｃ）と前記車両構成部品（４０）との間の位置する第２隙間部（Ｓｂ）とを含み、
前記第１隙間部（Ｓａ）の車幅方向の幅（Ｗａ）は、前記第２隙間部（Ｓｂ）の車幅方向の幅（Ｗｂ）よりも大きいことを特徴とする請求項１から９のうちいずれか１項に記載の鞍乗型車両。
【発明の詳細な説明】
【技術分野】
【０００１】
本発明は、鞍乗型車両に関する。
【背景技術】
【０００２】
特許文献１には、サイドカバーに整流用のリブが設けられたスクータ型の自動二輪車が開示されている。
【先行技術文献】
【特許文献】
【０００３】
【特許文献１】特開２０１７−１５９７５５号公報
【発明の概要】
【発明が解決しようとする課題】
【０００４】
ところで、車体前部が全体的にカバーで覆われるスクータ型車両とは異なり、車体前部に燃料タンクなどの大型の車両構成部品を備える鞍乗型車両は、車両前方からの走行風を利用して走行安定性のさらなる向上を図ることができると望ましい場合がある。
【０００５】
本発明は、上記事情を鑑みてなされたものであり、車両前方からの走行風を利用して走行安定性のさらなる向上を図ることができる鞍乗型車両を提供することを目的とする。
【課題を解決するための手段】
【０００６】
上記課題の解決手段として、請求項１に記載した発明は、ヘッドパイプ（１１）と、前記ヘッドパイプ（１１）の後方に配置される車両構成部品（４０）と、を備える鞍乗型車両（１）において、前記車両構成部品（４０）の車幅方向外側に配置され、前記車両構成部品（４０）との間に隙間（Ｓ）を空ける整流板（８１，８２）を備え、前記隙間（Ｓ）は、前記整流板（８１，８２）の全周の端部と前記車両構成部品（４０）との間において外部に開放されていることを特徴とする鞍乗型車両（１）を提供する。
請求項２に記載した発明は、前記車両構成部品（４０）は、燃料タンクユニット（４０）であることを特徴とする。
請求項３に記載した発明は、前記整流板（８１，８２）は、板状部材であることを特徴とする。
請求項４に記載した発明は、前記車両構成部品（４０）は、平坦状の側面部（７５）を有し、前記整流板（８１，８２）は、前記側面部（７５）に沿う板状部材であることを特徴とする。
請求項５に記載した発明は、前記整流板（８１，８２）よりも下方に配置されるシュラウド（５１）を備え、前記側面部（７５）は、前記シュラウド（５１）よりも前方から前記シュラウド（５１）よりも後方まで達する大きさの平坦状の表面を有し、前記整流板（８１，８２）は、前記側面部（７５）と略相似形に形成され、前記側面部（７５）の略全域を覆うことを特徴とする。
請求項６に記載した発明は、前記車両構成部品（４０）と前記整流板（８１，８２）とは、前記整流板（８１，８２）の全周の端部よりも内側に配置された３つの接続部（９１，９２，９３）により固定されることを特徴とする。
請求項７に記載した発明は、前記３つの接続部（９１，９２，９３）は、第１および第２接続部（９１，９２）と、前記第１および第２接続部（９１，９２）よりも後方に配置される第３接続部（９３）とを含み、前記第１および第２接続部（９１，９２）の各々は、締結型の接続部であり、前記第３接続部（９３）は、非締結型の接続部であることを特徴とする。
請求項８に記載した発明は、前記整流板（８１，８２）の前端部（８１ａ）は、前記車両構成部品（４０）の前端部（７２ａ）に対して、車両前後方向で略同一位置に配置されることを特徴とする。
請求項９に記載した発明は、前記整流板（８１，８２）は、略三角形状であり、前記整流板（８１，８２）の下端部（８１ｃ）が後方に向かうに従い上方にあがることを特徴とする。
請求項１０に記載した発明は、前記隙間（Ｓ）は、前記整流板（８１，８２）の上端部（８１ｂ）と前記車両構成部品（４０）との間の位置する第１隙間部（Ｓａ）と、前記整流板（８１，８２）の下端部（８１ｃ）と前記車両構成部品（４０）との間の位置する第２隙間部（Ｓｂ）とを含み、前記第１隙間部（Ｓａ）の車幅方向の幅（Ｗａ）は、前記第２隙間部（Ｓｂ）の車幅方向の幅（Ｗｂ）よりも大きいことを特徴とする。
【発明の効果】
【０００７】
請求項１に記載した発明によれば、車両構成部品の車幅方向外側に配置され、前記車両構成部品との間に隙間を空ける整流板を備えることで、車両前方からの走行風を後方に整流することが可能となり、走行安定性を向上させることができる。特に、ヘッドパイプよりも後方に車両構成部品を備える鞍乗型車両では、車両前方がカバーで覆われるスクータ型の車両と比較し、整流効果が大きく表れやすい。また請求項１に記載した発明によれば、車両構成部品と整流板との間の隙間は、整流板の全周の端部と車両構成部品との間において外部に開放されており、整流板の上端部と車両構成部品との間や整流板の下端部と車両構成部品との間にも走行風が通過可能な隙間部が形成される。このような構成によれば、より多くの空気を車両構成部品と整流板との間の隙間を通過させることができ、走行安定性をさらに向上させることができる。
請求項２に記載した発明によれば、燃料タンクユニットの車幅方向外側に整流板が配置されることで、鞍乗車両を構成する部品のなかで比較的大きな燃料タンクユニットの外形を利用して走行風を整流することが可能となり、走行安定性をさらに向上させることができる。
請求項３に記載した発明によれば、整流板が板状部材であることで、外部からの衝撃に対して面で受けることができ、耐衝撃性を向上させることができる。
請求項４に記載した発明によれば、車両構成部品の平坦状の側面部と、この側面部に沿う板状の整流板とにより走行風を整流することが可能なり、走行風をより安定して整流することができる。これにより、走行安定性をさらに向上させることができる。
請求項５に記載した発明によれば、車両前後方向に関してシュラウドよりも大きな長さを持つ平坦状の側面部と、その側面部と略相似形に形成されて前記側面部の略全域を覆う整流板とにより走行風が整流される。このような構成によれば、走行風の整流効果をより高めることができ、走行安定性をさらに向上させることができる。
請求項６に記載した発明によれば、車両構成部品と整流板とは、整流板の全周の端部よりも内側に配置された３つの接続部により固定される。これにより、固定の安定性を確保することができるとともに、部品点数の削減を図ることができる。
請求項７に記載した発明によれば、前記３つの接続部は、第１および第２接続部と、前記第１および第２接続部よりも後方に配置される第３接続部とを含み、前記第１および第２接続部の各々が締結型の接続部であり、前記第３接続部が非締結型の接続部である。この構成では、第１および第２接続部により走行風に対しての固定強度を確保することができ、接続強度の確保と部品点数のさらなる削減を実現することができる。
請求項８に記載した発明によれば、整流板の前端部が車両構成部品の前端部に対して車両前後方向において略同一位置に配置されるため、整流板の前端部と車両構成部品の前端部とが揃っていない場合と比べて、整流板と車両構成部品との間の隙間への走行風の取入れ性を向上させることができる。これにより、走行安定性をさらに向上させることができる。
請求項９に記載した発明によれば、整流板は、略三角形状であり、その下端部が後方に向かうに従い上方にあがっていため、整流板と車両構成部品との間の隙間に導かれた走行風は斜め上方に抜けやすい。これにより、ダウンフォースを発生させることができ、走行安定性に加えて、グリップ力を向上させることもできる。
請求項１０に記載した発明によれば、整流板の上端部と車両構成部品との間の位置する第１隙間部の幅が整流板の下端部と車両構成部品との間の位置する第２隙間部の幅よりも大きいため、整流板と車両構成部品との間の隙間に導かれた走行風は斜め上方に抜けやすい。これにより、ダウンフォースを発生させることができ、走行安定性に加えて、グリップ力を向上させることもできる。
【図面の簡単な説明】
【０００８】
【図１】本発明の実施形態に係る自動二輪車の左側面図である。
【図２】上記自動二輪車の正面図である。
【図３】上記自動二輪車の上面図である。
【図４】上記自動二輪車の整流板を取り外した状態を示す左側面図である。
【図５】上記自動二輪車の上部を斜め左前方から見た斜視図である。
【図６】上記自動二輪車の上部を斜め左後方から見た斜視図である。
【図７】上記自動二輪車の整流板周りの走行風の流れの一例を示す左側面図である。
【発明を実施するための形態】
【０００９】
以下、本発明の実施形態について図面を参照して説明する。なお、以下の説明における前後左右等の向きは、特に記載が無ければ以下に説明する車両における向きと同一とする。また、以下の説明に用いる図中適所には、車両前方を示す矢印ＦＲ、車両左方を示す矢印ＬＨ、車両上方を示す矢印ＵＰ、車体左右中心を示す線ＣＬが示されている。
【００１０】
図１から図３に示すように、本実施形態は、鞍乗型車両である自動二輪車１に適用される。自動二輪車１の前輪２は、左右一対のフロントフォーク３の下端部に支持される。左右フロントフォーク３は、ステアリングステム４およびトップブリッジ５を介して、車体フレーム１０の前端部のヘッドパイプ１１に支持される。左右フロントフォーク３は、上方に向かうに従い後方に位置するように傾斜して配置される。左右フロントフォーク３の上部およびトップブリッジ５には、バータイプの操向ハンドル６が取り付けられる。
【００１１】
自動二輪車１の後輪７は、スイングアーム８の後端部に支持される。スイングアーム８の前端部は、車体フレーム１０のピボット部１３ａに支持される。後輪７は、自動二輪車１の原動機であるエンジン３０に対し、例えばチェーン式の伝動機構を介して連係される。スイングアーム８の前部には、リアクッション９の後下端部が連結される。
【００１２】
車体フレーム１０は、ヘッドパイプ１１と、ヘッドパイプ１１の後方で左右に分岐して後下方へ延びる一対のメインフレーム１２と、左右メインフレーム１２の後下端部に結合されるピボットフレーム１３と、を備える。ヘッドパイプ１１は、左右フロントフォーク３と同様に、上方に向かうに従い後方に位置するように傾斜して配置される。左右メインフレーム１２の各々は、上下フレームパイプの間をクロス部材で結合して構成される。左右メインフレーム１２の後部の間には、不図示のクロスフレームを備え、このクロスフレームにリアクッション９の前上端部が連結される。ピボットフレーム１３は、スイングアーム８の前端部を支持するピボット部１３ａを備える。スイングアーム８の前端部は、左右方向に沿うピボット軸１３ｂ（揺動軸）を介して、ピボット部１３ａに支持される。
【００１３】
メインフレーム１２の下方には、ヘッドパイプ１１の下部から後下方へ延びるダウンフレーム１４を備える。ダウンフレーム１４の下端部には、エンジン３０のクランクケース３１の前端部が支持される。
【００１４】
メインフレーム１２の後部の後方には、後上方へ延びるシートフレーム１５を備える。シートフレーム１５上にシート１６が支持される。
【００１５】
車体フレーム１０の内側には、エンジン３０が搭載される。エンジン３０は、例えば水冷単気筒エンジンとされる。エンジン３０は、クランクケース３１の前部上方にシリンダ３２を起立させる。クランクケース３１の前端部は、ダウンフレーム１４に支持される。クランクケース３１の後端部は、ピボットフレーム１３に支持される。
【００１６】
シリンダ３２のシリンダヘッドの後部には、不図示の吸気通路が接続され、シリンダヘッドの前部には、不図示の排気管の基端部が接続される。排気管は、エンジン３０の前方で下方に湾曲し、エンジン３０の下方を後方へ延びた後、例えば車体後部右側に配置した排気マフラー３７に接続される。
【００１７】
メインフレーム１２の上方には、エンジン３０の燃料を貯留する燃料タンクユニット４０が配置される。燃料タンクユニット４０は、ヘッドパイプ１１の後方に配置される。燃料タンクユニット４０は、「車両構成部品」の一例である。
【００１８】
燃料タンクユニット４０は、例えば、エンジン３０の燃料が貯留される空洞部を持つ燃料タンク４１と、燃料タンク４１の少なくとも一部を覆う燃料タンクカバー４２とを有する。本実施形態では、燃料タンクカバー４２は、燃料タンク４１の略全体を覆う。すなわち本実施形態では、燃料タンクカバー４２により、燃料タンクユニット４０の外郭が形成されている。ただし、燃料タンクユニット４０の構成は、上記例に限定されない。例えば、燃料タンクユニット４０は、燃料タンクカバー４２を有さず、燃料タンク４１のみによって構成されてもよい。この場合は、燃料タンク４１により、燃料タンクユニット４０の外郭が形成される。燃料タンクユニット４０の上面には、給油口４３が設けられている。燃料タンクユニット４０の後方には、乗員が着座するシート１６が配置される。シート１６の下方の左右側部には、乗員が足を載せる左右ステップが配置される。
【００１９】
左右一対のシュラウド（Shroud）５１は、燃料タンクユニット４０の下方に配置され、メインフレーム１２とダウンフレーム１４とにより支持される。すなわち、シュラウド５１は、後述する整流板８１，８２よりも下方に配置される。例えば、シュラウド５１は、前方に向けて凸となるＶ字状に形成されている。シュラウド５１の少なくとも一部は、ラジエータ５２（図２参照）よりも前方に位置し、車両前方からの走行風の一部をラジエータ５２に向けて案内する。
【００２０】
ヘッドライト５５（図２参照）は、左右フロントフォーク３よりも前方に配置されている。例えば、ヘッドライト５５は、ステアリングステム４とトップブリッジ５との間の高さに配置されている。ヘッドライト５５の前方には、ヘッドライトカウル５６が配置される。ヘッドライトカウル５６は、左右フロントフォーク３と略平行に傾斜した前面５６ａを有する。
【００２１】
次に、本実施形態の要部について説明する。
まず、燃料タンクユニット４０の形状について説明する。燃料タンクユニット４０は、タンク前部４０ａと、タンク後部４０ｂとを含む。タンク前部４０ａについては後述する。タンク後部４０ｂは、タンク前部４０ａの後方に位置し、後方ほど左右幅を狭めるように形成される。これにより、タンク後部４０ｂは、乗員の左右の膝によって挟まれる左右ニーグリップ部を形成している。
【００２２】
図３に示すように、タンク前部４０ａは、中央部６１、左膨出部６２、および右膨出部６３を有する。左膨出部６２は、タンク後部４０ｂと比べて左方に膨出している。右膨出部６３は、タンク後部４０ｂと比べて右方に膨出している。ここで、左右の膨出部６２，６３は、互いに同じ構成および機能を有する。このため以下では、これらを代表して左膨出部６２について詳しく説明する。
【００２３】
左膨出部６２は、例えば、操向ハンドル６よりも後方に位置した基部（第１部分）７１と、基部７１から操向ハンドル６よりも前方まで延出した前方延出部（第２部分）７２とを含む。前方延出部７２の前端部７２ａは、「燃料タンクユニット４０の前端部」の一例である。前方延出部７２の前端部７２ａは、フロントフォーク３と略平行に傾斜して設けられる（図４参照）。すなわち、前方延出部７２の前端部７２ａは、上方に向かうに従い後方に位置するように傾斜している。
【００２４】
図４は、自動二輪車１の後述する整流板８１を取り外した状態を示す。本実施形態では、左膨出部６２は、平坦状の側面部７５を有する。本願における「平坦状」とは、完全に平坦な場合に限定されない。本願における「平坦状」とは、大きな段差や屈曲などが実質的に無いことを意味し、緩やかなカーブや、固定のためのボスや凸部、凹部、補強のためのリブなどが存在する場合も含む。本願における「平坦状」とは、例えば、燃料タンクユニット４０のタンク後部４０ｂの平均的な曲率と比べて平坦であることを意味する。
【００２５】
側面部７５は、燃料タンクユニット４０の外表面の一部を形成している。例えば、側面部７５は、左膨出部６２の基部７１と前方延出部７２に亘って設けられている。例えば、側面部７５は、シュラウド５１よりも前方からシュラウド５１よりも後方まで達する大きさの平坦状の表面を有する。側面部７５は、前方延出部７２の前端部７２ａに達している。
【００２６】
本実施形態では、側面部７５は、自動二輪車１を上方から見た場合、車幅方向の外側に向けて膨らむ緩やかな曲面状に形成される（図３参照）。また、側面部７５は、自動二輪車１を前方から見た場合、車幅方向の外側に向けて膨らむ緩やかな曲面状に形成される（図２参照）。
【００２７】
側面部７５は、自動二輪車１を側方から見た場合、例えば略三角形状に形成されている。本願における「略三角形状」とは厳密な意味で言う三角形状に限定されず、辺がカーブを有したり、角が丸みを有する場合も含む。側面部７５は、例えば、前端部（前辺部）７５ａ、上端部（上辺部）７５ｂ、および下端部（下辺部）７５ｃを含む。
【００２８】
前端部７５ａは、前方延出部７２の前端部７２ａによって形成され、上方に向かう従い後方に位置するように傾斜している。例えば、前端部７５ａは、左右フロントフォーク３、ヘッドパイプ１１、およびヘッドライトカウル５６の前面５６ａと略平行に傾斜している。
【００２９】
上端部７５ｂは、前端部７５ａの上端から後方に延びている。例えば、上端部７５ｂは、前端部７５ａの上端から後方に向かうに従い上方に上がるように傾斜する部分を含む。
【００３０】
下端部７５ｃは、前端部７５ａの下端から後方に延びている。下端部７５ｃは、前端部７５ａの下端から後方に向かうに従い上方に上がるように傾斜している。水平方向に対する下端部７５ｃの傾斜度は、水平方向に対する上端部７５ｂの傾斜度よりも大きい。これにより、下端部７５ｃは、前端部７５ａの下端と上端部７５ｂの後端とを接続している。
【００３１】
次に、自動二輪車１に設けられる左右一対の整流板８１，８２について説明する。ここで、左右の整流板８１，８２は、互いに同じ構成および機能を有する。このため以下では、これらを代表して左整流板８１について詳しく説明する。以下では、説明の便宜上、左整流板８１を、単に「整流板８１」と称する。また理解容易のため、各図において、整流板８１，８２にはドット柄のハッチングを施している。
【００３２】
図５、図６に示すように、整流板８１は、燃料タンクユニット４０の車幅方向外側に配置される。整流板８１と燃料タンクユニット４０との間には、自動二輪車１の走行時に前方からの走行風が通過可能な隙間Ｓを空けている。
【００３３】
整流板８１は、比較的大きな外形を有し、左膨出部６２の基部７１に面する第１領域と、前方延出部７２に面する第２領域とを含む（図１、図３参照）。本実施形態では、整流板８１は、シュラウド５１よりも上方に配置されている。整流板８１は、シュラウド５１よりも前方からシュラウド５１よりも後方まで達する大きさに形成される。
【００３４】
整流板８１は、例えば、板状部材である。本願における「板状」とは、完全な平板を意味するものではない。本願における「板状」とは、大きな段差や屈曲などが実質的に無いことを意味し、緩やかなカーブや、固定のためのボスや凸部、凹部、補強のためのリブなどが存在する場合も含む。本願における「板状」とは、例えば、燃料タンクユニット４０のタンク後部４０ｂの平均的な曲率と比べて平坦であることを意味する。本実施形態では、整流板８１は、燃料タンクユニット４０の平坦状の側面部７５に沿う板状部材である。言い換えると、整流板８１は、燃料タンクユニット４０の表面に対して略平行に配置されている。本願における「沿う」および「略平行」とは、厳密な意味での平行に限定されず、僅かに傾いて配置される場合も含む。
【００３５】
本実施形態では、整流板８１は、自動二輪車１を上方から見た場合、車幅方向の外側に向けて膨らむ緩やかな曲面状に形成されている（図３参照）。これにより、隙間Ｓは、自動二輪車１を上方から見た場合、側面部７５と整流板８１との間において車幅方向の外側に向けて膨らむ緩やかな曲面状に形成されている。また、整流板８１は、自動二輪車１を前方から見た場合、車幅方向の外側に向けて膨らむ緩やかな曲面状に形成されている（図２参照）。これにより、隙間Ｓは、自動二輪車１を前方から見た場合、側面部７５と整流板８１との間において車幅方向の外側に向けて膨らむ緩やかな曲面状に形成されている。
【００３６】
整流板８１は、自動二輪車１を側方から見た場合、燃料タンクユニット４０の側面部７５と略相似形の外形を有する。本実施形態では、整流板８１は、燃料タンクユニット４０の側面部７５と略同じである略三角形状に形成されている。例えば、整流板８１は、燃料タンクユニット４０の側面部７５と略同じ外形を有し、側面部７５の略全域を覆う。
【００３７】
整流板８１は、例えば、前端部（前辺部）８１ａ、上端部（上辺部）８１ｂ、および下端部（下辺部）８１ｃを含む。
【００３８】
前端部８１ａは、上方に向かう従い後方に位置するように傾斜している。例えば、前端部８１ａは、側面部７５の前端部７５ａ（言い換えると、前方延出部７２の前端部７２ａ）、左右フロントフォーク３、ヘッドパイプ１１、およびヘッドライトカウル５６の前面５６ａと略平行に傾斜している。
【００３９】
上端部８１ｂは、前端部８１ａの上端から後方に延びている。例えば、上端部８１ｂは、前端部８１ａの上端から後方に向かうに従い上方に上がるように傾斜する部分を含む。上端部８１ｂは、側面部７５の上端部７５ｂと略平行に傾斜している。
【００４０】
下端部８１ｃは、前端部８１ａの下端から後方に延びている。下端部８１ｃは、前端部８１ａの下端から後方に向かうに従い上方に上がるように傾斜している。下端部８１ｃは、側面部７５の下端部７５ｃと略平行に傾斜している。水平方向に対する下端部８１ｃの傾斜度は、水平方向に対する上端部８１ｂの傾斜度よりも大きい。これにより、下端部８１ｃは、前端部８１ａの下端と上端部８１ｂの後端とを接続している。
【００４１】
本実施形態では、整流板８１の前端部８１ａは、燃料タンクユニット４０の前端部（本実施形態では、前方延出部７２の前端部７２ａ）に対して、車両前後方向で略同一位置に配置されている（図１、図３参照）。すなわち、整流板８１の前端部８１ａの前端面と、燃料タンクユニット４０の前端部（本実施形態では、前方延出部７２の前端部７２ａ）の前端面とは、車両前後方向で略同一位置に配置されている（図１、図３参照）。例えば、整流板８１の前端部８１ａは、整流板８１の前端部８１ａの全高に亘って、燃料タンクユニット４０の前端部７２ａに対して車両前後方向で略同一位置に配置されている。
【００４２】
本実施形態では、整流板８１と燃料タンクユニット４０との間の隙間Ｓは、整流板８１の全周の端部（例えば、前端部８１ａ、上端部８１ｂ、および下端部８１ｃ）と燃料タンクユニット４０との間において、自動二輪車１の外部に開放されている。すなわち、隙間Ｓは、上方、下方、前方、後方のいずれの方向においても、自動二輪車１の外部に開放されている。
【００４３】
別の観点で見ると、隙間Ｓは、第１隙間部Ｓａ、第２隙間部Ｓｂ、および第３隙間部Ｓｃを含む。第１隙間部Ｓａは、整流板８１の上端部８１ｂと側面部７５の上端部７５ｂとの間に形成されている（図５、図６参照）。第２隙間部Ｓｂは、整流板８１の下端部８１ｃと側面部７５の下端部７５ｃとの間に形成されている。第３隙間部Ｓｃは、整流板８１の前端部８１ａと側面部７５の前端部７５ａとの間に形成されている。そして、第１から第３の隙間部Ｓａ，Ｓｂ，Ｓｃは、途切れることなく互いに連続して繋がっている。
【００４４】
本実施形態では、隙間Ｓは、下方から上方に向けて進むに従い、車幅方向における幅が徐々に大きくなる（図２参照）。すなわち、第１隙間部Ｓａの車幅方向の幅Ｗａは、第２隙間部Ｓｂの車幅方向の幅Ｗｂよりも大きい。また、隙間Ｓは、前方から後方に向けて進むに従い、車幅方向における幅が徐々に大きくなる（図３参照）。すなわち、第１隙間部Ｓａは、第１部分Ｓａａと、第１部分Ｓａａよりも後方に位置した第２部分Ｓａｂとを有する（図５参照）。そして、第２部分Ｓａｂの車幅方向の幅Ｗａｂは、第１部分Ｓａａの車幅方向の幅Ｗａａよりも大きい。同様に、第１隙間部Ｓｂは、第１部分Ｓｂａと、第１部分Ｓｂａよりも後方に位置した第２部分Ｓｂｂとを有する（図６参照）。そして、第２部分Ｓｂｂの車幅方向の幅Ｗｂｂは、第１部分Ｓｂａの車幅方向の幅Ｗｂａよりも大きい。
【００４５】
次に、整流板８１と燃料タンクユニット４０との固定構造について説明する。
図１に示すように、自動二輪車１は、整流板８１と燃料タンクユニット４０との固定構造として、３つの接続部９１，９２，９３（第１から第３の接続部９１，９２，９３）を含む。３つの接続部９１，９２，９３は、整流板８１において、整流板８１の全周の端部（例えば、前端部８１ａ、上端部８１ｂ、および下端部８１ｃ）よりも内側（中央側）に配置されている。すなわち、３つの接続部９１，９２，９３は、整流板８１の前端部８１ａ，上端部８１ｂ、および下端部８１ｃには設けられておらず、前端部８１ａ，上端部８１ｂ、および下端部８１ｃによって囲まれる領域に配置されている。
【００４６】
第１接続部９１は、３つの接続部９１，９２，９３のなかで最も前方に位置する。第２接続部９２は、第１接続部９１よりも後方、且つ、第１接続部９１よりも上方に位置する。例えば、第１および第２接続部９２は、車両前後方向に関して、整流板８１の中央部よりも前方側に配置される。
【００４７】
第３接続部９３は、第１および第２接続部９１，９２よりも後方に位置する。例えば、第３接続部９３は、車両前後方向に関して、整流板８１の中央部よりも後方側に配置される。本実施形態では、第１整流板８１と燃料タンクユニット４０は、３つの接続部９１，９２，９３により３点固定されている。
【００４８】
図４に示すように、第１および第２接続部９１，９２は、例えば、締結型の接続部である。すなわち、第１および第２接続部９１，９２の各々は、燃料タンクユニット４０と整流板８１とのうちの一方（本実施形態では、整流板８１）に設けられたねじ挿通穴９５と、燃料タンクユニット４０と整流板８１とのうちの他方（本実施形態では、燃料タンクユニット４０）に設けられたねじ穴９６とを有し、締結部材９７（例えばボルトまたはねじ、図１参照）がねじ挿通穴９５に通されてねじ穴９６に係合することで燃料タンクユニット４０と整流板８１とが締結される。なお、上記例とは逆に、ねじ挿通穴９５が燃料タンクユニット４０に設けられ、ねじ穴９６が整流板８１に設けられてもよい。
【００４９】
一方で、第３接続部９３は、凸部９８が凹部９９に挿入される非締結型の接続部である。すなわち、第３接続部９３は、ボルトやねじのような締結部材９７は含まない。第３接続部９３は、燃料タンクユニット４０と整流板８１とのうちの一方（本実施形態では、整流板８１）に設けられた凸部９８と、燃料タンクユニット４０と整流板８１とのうちの他方（本実施形態では、燃料タンクユニット４０）に設けられた凹部９９とを有し、凸部９８が凹部９９に挿入されることで燃料タンクユニット４０と整流板８１との位置決め（位置合わせ）が行われる。なお、上記例とは逆に、凸部９８が燃料タンクユニット４０に設けられ、凹部９９が整流板８１に設けられてもよい。
【００５０】
次に、整流板８１の作用について説明する。
図７に示すように、整流板８１が設けられることで、前方からの走行風の一部が燃料タンクユニット４０と整流板８１との間の隙間Ｓに導かれる。これにより、車両前方からの走行風が後方に整流される。
【００５１】
ここで、燃料タンクユニット４０と整流板８１との間の隙間Ｓが整流板８１の全周の端部において外部に開放されていることの作用に一例について説明する。本実施形態のような整流板８１によれば、燃料タンクユニット４０と整流板８１との間の隙間Ｓに流入した走行風は、燃料タンクユニット４０と整流板８１との間で加速して後方に抜ける。すなわち、燃料タンクユニット４０と整流板８１との間の隙間Ｓを流れる走行風は、周囲を流れる走行風（例えば、整流板８１の上方や下方を流れる走行風）に対して流速が速くなる。その結果、速い流速で隙間Ｓを流れる走行風の流れに引っ張られるようにして、整流板８１の上方や下方を流れる走行風の一部が第１隙間部Ｓａや第２隙間部Ｓｂから燃料タンクユニット４０と整流板８１との間の隙間Ｓに流入する。その結果、整流板８１の上端部８１ｂや下端部８１ｃと燃料タンクユニット４０との間が閉塞されている場合と比べて、燃料タンクユニット４０と整流板８１との間の隙間Ｓに、より多くの走行風が流れることになる。これにより、整流板８１によって、より多くの走行風が整流される。
【００５２】
なお、整流板８１の全周の端部において外部に開放されていることの作用は、上記例に限定されない。燃料タンクユニット４０と整流板８１との間の隙間Ｓには、整流板８１の上方および下方を流れる走行風の両方が流入しなくてもよく、例えば、燃料タンクユニット４０と整流板８１との間の隙間Ｓを流れる走行風の一部が第１隙間部Ｓａや第２隙間部Ｓｂを通じて外部に抜けてもよい。このような場合は、整流板８１の上方や下方に走行風の一部が抜けることができることで、燃料タンクユニット４０と整流板８１との間の隙間Ｓの風路抵抗が小さくなる。その結果、整流板８１の上端部８１ｂや下端部８１ｃと燃料タンクユニット４０との間が閉塞されている場合と比べて、燃料タンクユニット４０と整流板８１との間の隙間Ｓに、より多くの走行風が流れることになる。これにより、整流板８１によって、より多くの走行風が整流される。
【００５３】
以上説明したように、本実施形態の自動二輪車１によれば、車両前方からの走行風を利用して走行安定性のさらなる向上を図ることができる。すなわち、本実施形態では、自動二輪車１は、燃料タンクユニット４０の間に隙間Ｓを空ける整流板８１を備え、その隙間Ｓが整流板８１の全周の端部と燃料タンクユニット４０との間において外部に開放されている。このような構成によれば、整流板８１の上端部８１ｂと燃料タンクユニット４０との間や整流板８１の下端部８１ｃと燃料タンクユニット４０との間にも走行風が通過可能な隙間部Ｓａ，Ｓｂが形成される。その結果、より多くの空気を燃料タンクユニット４０と整流板８１との間の隙間Ｓを通過させることができ、走行安定性を向上させることができる。
【００５４】
本実施形態では、燃料タンクユニット４０の平坦状の側面部７５と、この側面部７５に沿う板状の整流板８１とにより走行風を整流することが可能なり、走行風をより安定して整流することができる。これにより、走行安定性をさらに向上させることができる。例えば、本実施形態では、平坦状の側面部７５は、左膨出部６２の基部７１と前方延出部７２とに亘る比較的大きな面積を有する。また、整流板８１は、左膨出部６２の基部７１と前方延出部７２とに面する比較的大きな面積を有する。このような整流板８１によれば、広い面積で走行風を整流することを通じて走行風の整流効果をより高めることができ、走行安定性をさらに向上させることができる。
【００５５】
本実施形態では、燃料タンクユニット４０の平坦状の側面部７５は、車両前後方向に関してシュラウド５１よりも大きな長さを有する。また、整流板８１は、側面部７５と略相似形に形成されて側面部７５の略全域を覆う大きさを有する。このような整流板８１によれば、広い面積で走行風を整流することを通じて走行風の整流効果をより高めることができ、走行安定性をさらに向上させることができる。
【００５６】
本実施形態では、燃料タンクユニット４０と整流板８１とは、整流板８１の全周の端部よりも内側に配置された３つの接続部９１，９２，９３により固定される。このような構成によれば、燃料タンクユニット４０と整流板８１との固定の安定性を確保することができるとともに、部品点数の削減を図ることができる。
【００５７】
本実施形態では、３つの接続部９１，９２，９３は、第１および第２接続部９１，９２と、第１および第２接続部９１，９２よりも後方に配置される第３接続部９３とを含む。第１および第２接続部９１，９２の各々が締結型の接続部であり、第３接続部９３が非締結型の接続部である。この構成によれば、走行風により比較的強い力を受ける整流板８１の前端部の近くを、締結型の第１および第２接続部９１，９２により強固に保持することができる。これにより、燃料タンクユニット４０と整流板８１との固定の安定性をさらに向上させることができる。一方で、第１および第２接続部９１，９２よりも後方に配置される第３接続部９３を非締結型の接続部にすることで、整流板８１の取付作業性（自動二輪車１の製造性）を高めることができる。
【００５８】
本実施形態では、整流板８１の前端部８１ａは、燃料タンクユニット４０の前端部７２ａに対して車両前後方向で略同一位置に配置される。このような構成によれば、整流板８１の前端部８１ａと燃料タンクユニット４０の前端部７２ａとが揃っていない場合と比べて、整流板８１と燃料タンクユニット４０との間の隙間Ｓへの走行風をスムーズに取入れることができる。また本構成によれば、走行風によって整流板８１に振動が生じることも抑制することができる。これらにより、走行安定性をさらに向上させることができる。
【００５９】
本実施形態では、整流板８１は、略三角形状である。整流板８１の下端部８１ｃは、後方に向かうに従い上方にあがりである。このような構成によれば、燃料タンクユニット４０と整流板８１との間の隙間Ｓに導かれた走行風は斜め上方に抜けやすい。これにより、ダウンフォースを発生させることができ、走行安定性に加えて、グリップ力を向上させることもできる。
【００６０】
本実施形態では、整流板８１の上端部８１ｂと燃料タンクユニット４０との間の位置する第１隙間部Ｓａの幅Ｗａが整流板８１の下端部８１ｃと燃料タンクユニット４０との間の位置する第２隙間部Ｓｂの幅Ｗｂよりも大きい。このような構成によれば、整流板８１と燃料タンクユニット４０との間の隙間に導かれた走行風は斜め上方に抜けやすい。これにより、ダウンフォースを発生させることができ、走行安定性に加えて、グリップ力を向上させることもできる。
【００６１】
なお、本発明は上記実施形態に限られるものではなく、例えば、上記実施形態では、燃料タンクユニット４０が「車両構成部品」の一例に該当する例について説明した。ただし、ヘッドパイプよりも後方に配置される「車両構成部品」は、上記例に限定されず、エアクリーナボックス、物品収容ボックス、車体カバー、ステアリングダンパー（操舵系部品）、バッテリーボックス、各種電装部品等でもよい。すなわち、整流板８１は、これら車両構成部品の車幅方向外側に配置され、これら車両構成部品との間に隙間Ｓを形成してもよい。
【００６２】
前記鞍乗型車両には、運転者が車体を跨いで乗車する車両全般が含まれ、自動二輪車（原動機付自転車およびスクータ型車両を含む）のみならず、三輪（前一輪かつ後二輪の他に、前二輪かつ後一輪の車両も含む）または四輪の車両も含まれる。また、原動機に電気モータを含む車両も含まれる。
そして、上記実施形態における構成は本発明の一例であり、実施形態の構成要素を周知の構成要素に置き換える等、本発明の要旨を逸脱しない範囲で種々の変更が可能である。
【符号の説明】
【００６３】
１…自動二輪車（鞍乗型車両）
１１…ヘッドパイプ
４０…燃料タンクユニット（車両構成部品）
４１…燃料タンク
４２…燃料タンクカバー
５１…シュラウド
７２ａ…前方延出部の前端部（燃料タンクユニットの前端部）
７５…燃料タンクユニットの平坦状の側面部
８１，８２…整流板
８１ａ…前端部
８１ｂ…上端部
８１ｃ…下端部
９１…第１接続部
９２…第２接続部
９３…第３接続部
Ｓ…隙間
Ｓａ…第１隙間部
Ｓｂ…第２隙間部
【図１】
2020066407.tif 000003
【図２】
2020066407.tif 000004
【図３】
2020066407.tif 000005
【図４】
2020066407.tif 000006
【図５】
2020066407.tif 000007
【図６】
2020066407.tif 000008
【図７】
2020066407.tif 000009